(57)【要約】【課題】専門的な知識を有しない水栓の使用者であっても、温調ハンドルの操作にて設定された温度と実際の吐水温度とのズレを容易に解消することのできる湯水混合水栓を提供する【解決手段】混合弁体３２に対して感温ばね５４の付勢力とバイアスばね５２の付勢力とを逆向きに作用させ、温調ハンドル１２により温調軸４２を回転させることで進退部材４８を軸方向に進退移動させて、バイアスばね５２を介し混合弁体３２を移動させ、混合水の温度を調節する湯水混合水栓において、進退部材４８を、温調軸４２にて直接結合された主部材８８と、バイアスばね５２を押圧する部材であって主部材８８に対し軸方向位置が調節可能であり、軸方向位置の調節により混合弁体３２の位置の補正を行う補正部材９０とを含んで伸縮可能に構成する。【選択図】        図１
2012241722.tif 000002
【特許請求の範囲】
【請求項１】
混合弁体に対して感温ばねの付勢力とバイアスばねの付勢力とを軸方向の逆向きに作用させ、温調ハンドルにより温調軸を回転させることで、該温調軸と前記バイアスばねとの間に介在した進退部材を軸方向に進退移動させて、該バイアスばねを介して前記混合弁体を移動させ、混合水の温度を調節する湯水混合水栓において、
前記進退部材を、前記温調軸に進退移動可能に結合された主部材と、前記バイアスばねを押圧する部材であって該主部材に対し軸方向の位置が調節可能であり、該軸方向の位置の調節により前記混合弁体の位置の補正を行う補正部材とを含んで伸縮可能に構成したことを特徴とする湯水混合水栓。
【請求項２】
請求項１において、前記補正部材には軸方向の位置調節用の操作部が設けてあり、該操作部が前記温調軸を貫通して該温調軸の外部まで突出していることを特徴とする湯水混合水栓。
【請求項３】
請求項２において、前記温調ハンドルには前記位置調節用の操作部に対し軸方向に対向する面に開口部が設けてあって、該開口部が脱着可能なキャップにて閉鎖されており、前記位置調節用の操作部が該開口部を通じ操作可能な位置まで前記温調ハンドル内部に突出していることを特徴とする湯水混合水栓。
【発明の詳細な説明】
【技術分野】
【０００１】
この発明は湯水混合水栓に関し、詳しくは温調ハンドルによる設定温度と、実際の吐水温度とのズレを解消するための技術手段に特徴を有するものに関する。
【背景技術】
【０００２】
従来、水と湯とを混合し且つその混合比率を変化させて吐水の温度調節を行う湯水混合水栓として、混合水温度を自動的に設定した温度に調節し吐水する自動温度調節機能付き（サーモスタット式）の湯水混合水栓が広く用いられている。
【０００３】
この自動温度調節機能付きの湯水混合水栓では、混合弁体に対して感温ばねの付勢力とバイアスばねの付勢力とを軸方向の逆向きに作用させ、温調ハンドルにより温調軸を回転させることで、温調軸と前記バイアスばねとの間に介在した進退部材を軸方向に進退移動させて、バイアスばねを介して混合弁体を移動させ、混合水の温度を調節（設定）する。
【０００４】
ところで、このような湯水混合水栓では、温調ハンドルが現在どのような操作位置にあるか、具体的には温調ハンドルの操作による現在の吐水の設定温度を表すために、通常は温調ハンドル側に温度表示部が、また水栓本体部の側に温度表示部の特定の部位を指し示す指示部が設けられる。
この場合、指示部が指し示した部位の温度が現在の設定温度を表す。
【０００５】
図５はそれらの具体例を示している。
図５において２００は水栓本体部，２０２は回転式の温調ハンドル、２０４は温調ハンドル２０２に設けられた温度表示部，２０６は水栓本体部２００の側に設けられた指示部である。
ここでは指示部２０６が指し示している表示４０・の温度が現在の設定温度（ここでは適温の４０℃）であることを表している。
【０００６】
図５（Ａ）において、２１４は内周面と外周面とにセレーション部を有するリング状のセレーション部材で、その内周面のセレーション部に対して温調軸２１６がセレーション結合され、また外周面のセレーション部に対して温調ハンドル２０２がセレーション結合され、以ってかかるセレーション部材２１４を介して温調ハンドル２０２と温調軸２１６とが一体回転するようになっている。
ここで温調ハンドル２０２は、水栓本体部２００に対して軸方向に抜止状態に組みつけられている。
【０００７】
図５に示すものにおいては、温調ハンドル２０２を回転操作すると温調軸２１６が回転し、これにより水栓本体部２００の内部の混合弁体が位置移動して水と湯との混合比率を変化させる。即ち吐水温度を変化させる。
【０００８】
ところで湯水混合水栓を工場で生産し出荷するときには、温調ハンドル２０２側の温度表示部２０４と水栓本体部２００側の指示部２０６とにより表される設定温度が実際の吐水温度と合致するように、温調ハンドル２０２の回転方向の組付位置が調節されているが、実際に湯水混合水栓を様々な設置現場で設置施工したとき、設置現場の給水圧その他の条件の相異によって、温度表示部２０４と指示部２０６とで表される設定温度よりも実際の吐水温度が高かったり或いは低かったりする等、温調ハンドル２０２による設定温度と実際の吐水温度との間にズレが生じるといったことが起り得る。
【０００９】
この場合、水栓の使用者が温度表示部２０４と指示部２０６とに基づいて温調ハンドル２０２を回転操作し、吐水の温度設定を行っても、求める温度で吐水させることができず、水栓の使い勝手が悪化する。
【００１０】
このような設定温度と実際の吐水温度とのズレを解消するため、従来にあっては、温調ハンドル２０２を一旦水栓本体部２００から取外して、即ち温調ハンドル２０２の取付構造を一旦ばらした上で、温調ハンドル２０２の回転方向の位置を調整して再組付けするといったことを設置現場毎に行うが、この作業は面倒な作業となる。
特に専門的な知識を有しない水栓の使用者が、こうした調整を行うといったことは実際上困難である。
【００１１】
尚本発明に関連する先行技術として、下記特許文献１にはＣリング状の弾性を有する安全リング（ロックリング）を取り外すことで、温調ハンドルを軸方向に押し込んでこれを空回転可能とし、その状態で温調ハンドルの回転方向の位置を調節した上で、温調ハンドルを再び元の位置まで軸方向に戻し、その後に安全リングを再装着するようになした点が開示されている。
この特許文献１に開示のものは、温調ハンドルの操作により設定された温度と実際の吐水温度とを一致させることを目的としている点で本願発明と共通しているが、この特許文献１に開示のものは、温調ハンドル自体の位置を変更し調節するもので、本発明とは解決手段が異なっている。
【００１２】
一方特許文献２には「バルブ」についての発明が示され、そこにおいてトイレの洗浄タンク内の水を便器に向けて流し続ける凍結防止用の流動弁のスピンドルにインタースピンドルを付加して、スピンドルとインタースピンドルとをセレーション結合し、それら全体を伸縮可能となした点が開示されている。
しかしながらこの特許文献２に開示のものは、スピンドルの移動によってハンドルが一体に位置移動してしまうことを防止することを目的としたものであって、本発明とは対象においてまた目的において異なっており、本発明とは別異のものである。
【先行技術文献】
【特許文献】
【００１３】
【特許文献１】特開２００８−１３８７３４号公報
【特許文献２】特開平１０−２１３２４９号公報
【発明の概要】
【発明が解決しようとする課題】
【００１４】
本発明は以上のような事情を背景とし、専門的な知識を有しない水栓の使用者であっても、温調ハンドルの操作にて設定された温度と実際の吐水の温度とのズレを容易に解消することのできる湯水混合水栓を提供することを目的としてなされたものである。
【課題を解決するための手段】
【００１５】
而して請求項１のものは、混合弁体に対して感温ばねの付勢力とバイアスばねの付勢力とを軸方向の逆向きに作用させ、温調ハンドルにより温調軸を回転させることで、該温調軸と前記バイアスばねとの間に介在した進退部材を軸方向に進退移動させて、該バイアスばねを介して前記混合弁体を移動させ、混合水の温度を調節する湯水混合水栓において、前記進退部材を、前記温調軸に進退移動可能に結合された主部材と、前記バイアスばねを押圧する部材であって該主部材に対し軸方向の位置が調節可能であり、該軸方向の位置の調節により前記混合弁体の位置の補正を行う補正部材とを含んで伸縮可能に構成したことを特徴とする。
【００１６】
請求項２のものは、請求項１において、前記補正部材には軸方向の位置調節用の操作部が設けてあり、該操作部が前記温調軸を貫通して該温調軸の外部まで突出していることを特徴とする。
【００１７】
請求項３のものは、請求項２において、前記温調ハンドルには前記位置調節用の操作部に対し軸方向に対向する面に開口部が設けてあって、該開口部が脱着可能なキャップにて閉鎖されており、前記位置調節用の操作部が該開口部を通じ操作可能な位置まで前記温調ハンドル内部に突出していることを特徴とする。
【発明の作用・効果】
【００１８】
以上のように本発明は、温調ハンドルにより温調軸を回転させることで進退移動する進退部材を、温調軸に進退移動可能に結合された主部材と、バイアスばねを押圧する部材であって主部材に対し軸方向の位置が調節可能であり、軸方向の位置の調節により混合弁体の位置の補正を行う補正部材とを含んで伸縮可能に構成したものである。
【００１９】
本発明によれば、温調ハンドルの操作による設定温度と実際の吐水温度との間にズレがある場合、進退部材を伸縮させることによって、具体的には主部材に対する補正部材の軸方向の位置を調節し、混合弁体の位置の補正を行うことで、実際の吐水の温度を温調ハンドルの操作による設定温度に正しく合せることができ、設定温度と実際の吐水温度とのズレを解消することができる。
【００２０】
かかる本発明では、温調ハンドルの回転位置を調整する必要が無く、単に補正部材の位置の調整操作を行うだけで良いので、専門的な知識を有しない水栓の使用者であっても、容易に設定温度と実際の吐水温度とを合せることができる。
ここで上記の補正部材は主部材に対して螺合しておき、回転により主部材に対する軸方向の位置を調節可能となしておくことができる。
このようにすれば、単に補正部材を回転操作するだけで容易にその軸方向の位置を調節することができる。即ち混合弁体の位置を補正して、実際の吐水温度を設定温度に合せることができる。
【００２１】
本発明では、補正部材に位置調節用の操作部を設けておき、その操作部を温調軸を貫通してその外部まで突出させておくことができる（請求項２）。
このようにすれば、温調軸の外部において補正部材を操作することができ、そしてその操作によって、補正部材の主部材に対する軸方向の位置を容易に調節することができる。即ち混合弁体の位置の補正により実際の吐水温度を設定温度に合せる作業を行うことができる。
【００２２】
この場合において温調ハンドルには、位置調節用の上記の操作部に対し軸方向に対向する面に開口部を設けて、その開口部を脱着可能なキャップにて閉鎖する一方、上記の位置調節用の操作部を、その開口部を通じて操作可能な位置まで温調ハンドル内に突出させておくことができる（請求項３）。
【００２３】
このようにすれば、温調ハンドルを装着したまま単にキャップを開くことで、補正部材に対する位置調節の操作を行うことができ、水栓の使用者がより一層簡単に実際の吐水温度と温調ハンドルによる設定温度とのズレを解消させる作業を行うことができる。
【図面の簡単な説明】
【００２４】
【図１】本発明の一実施形態である湯水混合水栓の断面図である。
【図２】同実施形態における温調ハンドルと水栓本体部の要部を外観状態で示した図である。
【図３】同実施形態の作用説明図である。
【図４】同実施形態における補正部材の操作部の操作を説明するための説明図である。
【図５】従来の湯水混合水栓の要部を示した図である。
【発明を実施するための形態】
【００２５】
次に本発明の実施形態を図面に基づいて詳しく説明する。
図１において、１０は本実施形態の湯水混合水栓における水栓本体部で、１２は回転式の温調ハンドル（温度調節ハンドル）である。
この実施形態の湯水混合水栓は、自動温度調節機能付き（サーモスタット式）の湯水混合水栓で、円筒形状のハウジング１４の内部に温調ユニット１６が組み込まれている。
【００２６】
図２に示しているように温調ハンドル１２の外面、詳しくは水栓本体部１０に近接した位置の外面には温度表示部１８が設けられている。
ここで温度表示部１８は、適温（ここでは４０℃）を表示する適温表示部１８Ａと、これよりも高温域を表す高温域表示部１８Ｂと、低温域を表す低温域表示部１８Ｃとを有している。
【００２７】
一方水栓本体部１０の温調ハンドル１２側の端部の外面には、温調ハンドル１２の温度表示部１８と協働して、温調ハンドル１２による現在の設定温度を表すための指示部２０が設けられている。
図２では指示部２０に対して、温調ハンドル１２側の適温表示部１８Ａの位置が合った状態にあり、この状態の下では混合水即ち吐水の温度が適温の４０℃に設定される。
【００２８】
上記温調ユニット１６の具体的構成が図１に詳しく示してある。
２２は温調ユニット１６における弁ケースで、軸方向に離隔した位置に水流入口２４と、湯流入口２６とが設けられており、それら水流入口２４と湯流入口２６とから水と湯とが弁ケース２２内部に流入する。
流入した水と湯とは図中右方向に流れて混合室２８へと到り、そこで水と湯とが混合されて混合水が流出口３０から吐水部に向けて図中右方向に流出する。
【００２９】
３２は、水と湯とを混合し且つその混合比率を変化させる混合弁体で、軸方向の反対側に水側弁部３４と湯側弁部３６とを有している。
一方弁ケース２２には、混合弁体３２に対して軸方向の外側の位置に、水側弁部３４，湯側弁部３６にそれぞれ対応した水側弁座３８，湯側弁座４０が設けられている。
【００３０】
４２は、温調ハンドル１２の回転操作により回転運動する温調軸で、弁ケース２２の内部においてその内面に回転可能に嵌合する大径の円筒部４４を有している。
この円筒部４４の内周面には雌ねじ部４６が設けられており、そこに進退部材４８における後述の主部材８８の外周面に設けられた雄ねじ部５０が螺合され、主部材８８が温調軸４２に対して進退移動可能に結合（ねじ結合）されている。
【００３１】
進退部材４８は、これら雌ねじ部４６と雄ねじ部５０との螺合により、温調軸４２の回転によりねじ送りで図中左右方向に進退移動せしめられる。
この進退部材４８と混合弁体３２との間には、コイルばねからなるバイアスばね５２が介挿されており、混合弁体３２に対してバイアスばね５２の付勢力が図中右向き、即ち水側弁部３４を閉弁させ、湯側弁部３６を開弁させる方向に及ぼされている。
【００３２】
一方、混合室２８の内部には形状記憶合金製のコイル形状の感温ばね５４が収容されており、混合弁体３２に対してこの感温ばね５４による付勢力が、上記バイアスばね５２による付勢方向と逆方向の図中左向き、即ち湯側弁部３６を閉弁させ、水側弁部３４を開弁させる方向に及ぼされている。
混合弁体３２は、これらバイアスばね５２による右向きの付勢力と感温ばね５４による左向きの付勢力とが釣合う位置に保持される。
【００３３】
本実施形態の湯水混合水栓では、バイアスばね５２による付勢力が一定の下で、混合水温度の上昇により感温ばね５４の付勢力が増大すると、混合弁体３２が、それらバイアスばね５２と感温ばね５４との付勢力が釣合う位置に図中左向きに位置をシフトさせ、水流入口２４からの水の流入量を増大、湯流入口２６からの湯の流入量を減少させて混合水温度を設定温度に保つように動作する。
【００３４】
また逆に混合水温度が低下し、感温ばね５４による付勢力が低下したときには図中右方向に位置をシフトさせ、水流入口２４からの水の流入量を減少、湯流入口２６からの湯の流入量を増大させて、混合水温度を設定温度に保つように動作する。
【００３５】
上記温調軸４２は、温調ハンドル１２の操作により回転して進退部材４８を図中左右方向に進退移動させ、これによりバイアスばね５２による付勢力を増減させて混合弁体３２の位置を図中左右方向に変化させる。
【００３６】
図１において、５６は円形のリング状をなすセレーション部材（ダブルセレーション部材）で、内周面に雌セレーション部５８を、外周面に雄セレーション部６０をそれぞれ有しており、そしてその内周面の雌セレーション部５８に対し、温調軸４２の雄セレーション部６２がセレーション結合され、また外周面の雄セレーション部６０に対し、温調ハンドル１２の雌セレーション部６４がセレーション結合されている。
これにより、温調ハンドル１２がセレーション部材５６を介して温調軸４２に一体回転状態に連結されている。
【００３７】
温調ハンドル１２は、水栓本体部１０からの抜止めのための弾性片から成る固定片６６を一体に有している。この固定片６６の先端部（図中左端部）は押圧部６８とされている。
一方温調軸４２には、図１中の左端側の先端部に外面形状が球面状をなす被押圧部７０が形成されている。
【００３８】
７２は抜止部材を兼ねたキャップで、脚部７４を固定片６６の外周側の溝７６に差し込むことで、固定片６６の先端部の押圧部６８を、温調軸４２の被押圧部７０に押圧し、以て温調ハンドル１２を水栓本体部１０に対して軸方向に抜止めする。
【００３９】
７８は、温調ハンドル１２に一体回転状態に保持された、温調ハンドル１２の回転規制のための当り部で、貫通孔８０から外部に突出した安全ボタン８２と一体に構成されている。
これら当り部７８及び安全ボタン８２は、板ばね８４にて径方向外方に常時付勢されている。
【００４０】
８６は水栓本体部１０側に固定された筒状のストッパ部材で、周方向に間隔を隔てた複数個所に図中左向きの軸方向に突出した複数のストッパを有しており、それらストッパに対して温調ハンドル１２側の当り部７８を当接させることで、温調ハンドル１２を一定の回転角度位置で回転規制する。
【００４１】
上記進退部材４８は、温調軸４２の上記の円筒部４４に螺合されて温調軸４２に直接結合された主部材８８と、これとは別体をなして主部材８８に保持され、混合弁体３２の位置を補正する補正部材９０との２部材から成っている。
ここで補正部材９０は主部材８８に対して軸方向の位置が調節可能とされており、それら主部材８８と補正部材９０とから成る進退部材４８が軸方向に伸縮可能とされている。
【００４２】
詳しくは、補正部材９０は主部材８８を貫通する、主部材８８と同心の軸部９２を有していて、その軸部９２の、主部材８８を貫通する部分の外周面に雄ねじ部９４が形成され、その雄ねじ部９４が、主部材８８の雌ねじ部９６に螺合されており、それら雄ねじ部９４と雌ねじ部９６とによるねじ送りで補正部材９０が主部材８８に対して軸方向に移動可能とされている。
ここで主部材８８は径方向外方に突出した係合凸部９８を有しており、その係合凸部９８を弁ケース２２の係合溝１００に係合させることによって、弁ケース２２に対して回転防止されている。
【００４３】
主部材８８にはまた、図中右端側の中心部に嵌合凹部１０２が設けられている。一方補正部材９０には嵌合凹部１０２に嵌入する嵌合凸部１０４と、これよりも大径をなすばね押圧部１０６とが設けられており、そのばね押圧部１０６にて上記のバイアスばね５２を図中右向きに押圧するようになっている。
尚本実施形態では、ばね押圧部１０６と嵌合凸部１０４とを一体に成形しているが、ばね押圧部１０６と嵌合凸部１０４とを別体に設けてそれらを当接させ或いは接着しておいてもよい。
【００４４】
この補正部材９０の上記の軸部９２は、図中左部が主部材８８に対する補正部材９０の軸方向の位置を調節操作するための操作部１０８をなしており、この操作部１０８が温調軸４２の軸方向の貫通孔１１２を貫通して、温調軸４２の図中左方の外部且つ温調ハンドル１２の内部に突出している。
そしてその外部の突出した部分に、マイナスドライバ等の工具を係合させる係合溝１１０が設けられている。
【００４５】
一方温調ハンドル１２には、この操作部１０８に対して軸方向に対向する面に開口部１１４が設けられており、この開口部１１４が、上記の抜止部材を兼ねたキャップ７２にて閉鎖されている。
ここでキャップ７２は、温調ハンドル１２に対して脱着可能とされている。
【００４６】
本実施形態では、温調ハンドル１２を回転させると温調軸４２が回転し、そしてその回転により進退部材４８全体をねじ送りで図１中左右方向に進退移動させ、バイアスばね５２の付勢力を増大させ又は減少変化させる。
これにより混合弁体３２の位置が軸方向に移行せしめられる。
即ち温調ハンドル１２の回転操作に基づいて、混合水の温度が設定される。
【００４７】
この場合、その設定温度と実際の吐水温度との間にズレがあるとき、従来にあっては温調ハンドル１２を一旦取り外してその回転位置を調節し、その上で温調ハンドル１２を再組付けしていたが、本実施形態では温調ハンドル１２の回転方向の位置の調節を行うことなく、設定温度と実際の吐水温度とを合致させることができる。
【００４８】
具体的には、実際の吐水温度が設定温度よりも低いとき、例えば図２において温調ハンドル１２の適温表示部１８Ａを指示部２０に合せた状態で、実際の吐水温度が適温よりも低いときには、図３（Ａ）に示しているように進退部材９０の操作部１０８を回転操作して、補正部材９０全体をねじ送りで主部材８８から図中右方向に移動させる。
するとバイアスばね５２が圧縮されて付勢力を強め、混合弁体３２の位置を図中右方向、即ち水側弁部３４の弁開度を小さく、湯側弁部３６の弁開度を大とする方向に移動させる。
この結果、実際の吐水温度は上昇する。
そこで吐水温度が適温に達したところで、補正部材９０の軸方向の移動を停止させる。
ここにおいて補正部材９０の補正動作により、温調ハンドル１２により設定した温度と実際の吐水温度とが一致した状態となる。
【００４９】
逆に実際の吐水温度が設定温度即ち適温の４０℃よりも高かったときには、図３（Ｂ）に示しているように補正部材９０の操作部１０８を上記とは逆方向に回転させて、補正部材９０の主部材８８に対する位置を図中左向きに移動させ、バイアスばね５２に対する押圧力を弱める。
すると混合弁体３２に対するバイアスばね５２の付勢力が低下し、ここにおいて混合弁体３２が図１中左方向に移行し、混合水温度を低める。
そこで実際の吐水温度が適温となったところで、補正部材９０の図中左方向の移動を停止させる。
ここにおいて温調ハンドル１２により設定した温度と実際の吐水温度とが一致した状態となる。
【００５０】
この補正部材９０の操作部１０８に対する操作は、図４に示しているようにキャップ７２を外すことにより開放された開口部１１４を通じ、温調ハンドル１２を取り付けた状態のまま行うことができる。
【００５１】
以上のように本実施形態によれば、温調ハンドル１２の操作による設定温度と実際の吐水温度との間にズレがある場合、進退部材４８を伸縮させることによって、具体的には主部材８８に対する補正部材９０の軸方向の位置を調節し、混合弁体３２の位置の補正を行うことで、実際の吐水の温度を温調ハンドル１２の操作による設定温度に正しく合せることができ、設定温度と実際の吐水温度とのズレを解消することができる。
【００５２】
本実施形態では、温調ハンドル１２の回転位置を調整する必要が無く、単に補正部材９０の位置の調整操作を行うだけで良いので、専門的な知識を有しない水栓の使用者であっても、容易に設定温度と実際の吐水温度とを合せることができる。
【００５３】
しかも補正部材９０に対する位置調節の操作は、単に温調ハンドル１２のキャップ７２を外すだけで水栓の使用者が極めて簡単に行うことができる。
【００５４】
以上本発明の実施形態を詳述したがこれはあくまで一例示である。
例えば上記の例では補正部材９０を主部材８８に対して螺合し、ねじ送りで主部材８８に対する補正部材９０の軸方向位置を調整するようにしているが、ねじ以外の他の手段にて主部材８８に対する補正部材９０の軸方向位置を調整するようになすといったことも可能である。
その他本発明は上記例示した以外の構造の湯水混合水栓に適用することも可能である等、本発明はその趣旨を逸脱しない範囲において種々変更を加えた形態で構成可能である。
【符号の説明】
【００５５】
１２  温調ハンドル
３２  混合弁体
４２  温調軸
４８  進退部材
５２  バイアスばね
５４  感温ばね
７２  キャップ
８８  主部材
９０  補正部材
１０８  操作部
１１４  開口部
【図１】
2012241722.tif 000003
【図２】
2012241722.tif 000004
【図３】
2012241722.tif 000005
【図４】
2012241722.tif 000006
【図５】
2012241722.tif 000007